(57)【要約】【課題】  任意の指令局と複数の移動局間とのグループ通信リンクを確立する場合に会議トランクとは別の音声ミックス部を回線制御装置に必要としないようにする。【解決手段】  少なくとも１つの指令局と複数の移動局とが少なくとも１つの基地局を介して通信リンクを為すデジタル移動無線システムにおいて、前記少なくとも１つの指令局と少なくとも１つの基地局には交換制御を行う回線制御装置が接続され、該回線制御装置は、予め任意に設定された送信要求に対する許容数以下の送信要求をｍ台とする送信要求許容手段と、送信要求のあったｍ台以内の通話パスによる音声入力を全加算して出力する会議トランクとを備え、任意の指令局と複数の移動局、若しくは複数の移動局が音声通信によるグループ通信をｎ台にて行う場合、送信側ｍ台の音声を加算した加算音声を受信側ｎ台が受信することによりグループ通信を確立する。【選択図】  図１
2006033430.tif 000002
【特許請求の範囲】
【請求項１】
少なくとも１つの指令局と複数の移動局とが少なくとも１つの基地局を介して通信リンクを為すデジタル移動無線システムにおいて、
前記少なくとも１つの指令局と少なくとも１つの基地局には交換制御を行う回線制御装置が接続され、
該回線制御装置は、予め任意に設定された送信要求に対する許容数以下の送信要求をｍ台とする送信要求許容手段と、
送信要求のあったｍ台以内の通話パスによる音声入力を全加算して出力する会議トランクとを備え、
任意の指令局と複数の移動局、若しくは複数の移動局が音声通信によるグループ通信をｎ台にて行う場合、送信側ｍ台の音声を加算した加算音声を受信側ｎ台が受信することによりグループ通信を確立することを特徴とするデジタル移動無線システム。
【請求項２】
少なくとも１つの指令局と複数の移動局とが少なくとも１つの基地局を介して通信リンクを為すデジタル移動無線システムにおいて、
前記少なくとも１つの指令局と少なくとも１つの基地局には交換制御を行う回線制御装置が接続され、
該回線制御装置は、予め任意に設定された送信要求に対する許容数以下の送信要求をｍ台とする送信要求許容手段と、
送信要求のあったｍ台以内の通話パスによる音声入力を全加算する音声加算手段と、
前記少なくとも１つの指令局から送信要求のあった場合には当該指令局の音声入力を前記全加算した音声入力より減じて当該指令局に出力し、他の局には前記全加算した音声入力を出力する会議トランクとを備え、
少なくとも１つの指令局と任意の移動局が音声通信によるグループ通信をｎ台にて行う場合、送信側ｍ台の音声を加算した加算音声を受信側ｎ台が受信することによりグループ通信を確立することを特徴とするデジタル移動無線システム。
【発明の詳細な説明】
【技術分野】
【０００１】
本発明は、デジタル移動無線システムにおけるグループ通信の回線接続に関し、特に、任意の指令局と複数の移動局間や移動局間相互でグループ通信を行う際の回線接続の制御に関するものである。
【背景技術】
【０００２】
図４は、従来のデジタル移動無線システムの一例を示す。
この図４は、複数の指令局４０１、４０２と、複数の基地局２０１〜２０３と、複数の移動局１０１〜１０５と、回線制御装置３００とより構成され、回線制御装置３００内には、基地局インタフェース３１１〜３１３と、通話路の時分割スイッチ３２０と、折返し機能と音声符号変換を行う音声符合変換部３３１、３３２と、音声ミックス部３４１と、指令局インタフェース３５１、３５２と、音声出力インタフェース３６１と、ミックスモニタスピーカ４１１とより構成される。
音声符合変換部３３１、３３２は、各基地局から送られて来るＥＬＣＥＬＰ方式の音声信号をＳＥＬ部にて当該基地局に折り返す機能とＥＬＣＥＬＰ方式の音声信号をＰＣＭ方式の音声信号に変換し、またはその逆のＰＣＭ方式からＥＬＣＥＬＰ方式への変換機能を有している。
【０００３】
例えば、送信権を有する移動局１０１の音声信号は、基地局２０１、基地局インタフェース３１１、時分割スイッチ３２０を介して、音声符号変換部３３１に入力される。
そして、ＳＥＬ部で音声信号は折り返され、基地局インタフェース３１１、基地局２０１、及び基地局インタフェース３１２、基地局２０２を介して移動局１０２、及び１０３に中継される。
また、音声符号変換部３３１によりＰＣＭ方式の音声信号に変換され、指令局インタフェース３５１を介して、指令局４０１に送信される。
ここで、送信権が移動局１０１から移動局１０３に移動すると、基地局インタフェース３１１と音声符号変換部３３１間の通話パスは解放されて、基地局インタフェース３１２と音声符号変換部３３１間の通話パスが接続される。
なお、送信権の移動は、図示していない制御チャネル（制御ＣＨ）を使って、移動局が発するプレストーク信号に従ってなされる。
【０００４】
一方、指令局４０１が送信する場合は、回線制御装置３００において、指令局４０１が発するプレストーク信号を検出して、音声符号変換部３３１のＳＥＬ部の接続を図中の実線から点線の側に切り換えることにより、移動局１０１の音声信号を基地局２０１に中継するのを停止し、指令局４０１の音声信号をＥＬＣＥＬＰ方式の音声信号に変換し、基地局２０１、２０２に中継することで通話パスが確立する。
【０００５】
また、従来のデジタル移動無線システムに関する技術として例えば特許文献１がある。
【０００６】
【特許文献１】特開２００２−２１８０６８号公報
【発明の開示】
【発明が解決しようとする課題】
【０００７】
前述した従来のデジタル移動無線システムは、任意の指令局と移動局との間のグループ通信を行う場合に、通話パスの切り換えを移動局から送られるプレストーク信号によるため、プレストーク信号を使わない指令局には対応できないという問題点があった。
また、回線制御装置には会議トランクとは別に音声ミックス部を有しており、回線制御装置が高価となってしまうという問題点があった。
【０００８】
本発明は上記従来技術に鑑みて為されたもので、任意の指令局と複数の移動局間とのグループ通信リンクを確立する場合に会議トランクとは別の音声ミックス部を回線制御装置に必要としないデジタル移動無線システムを提供することを目的とする。
さらに本発明は、プレストーク信号を使わない指令局にも対応可能なグループ通信回線接続により、グループ通信リンクを確立するデジタル移動無線システムを提供することを目的とする。
【課題を解決するための手段】
【０００９】
上記従来の問題点を解決するため、請求項１記載の発明は、少なくとも１つの指令局と複数の移動局とが少なくとも１つの基地局を介して通信リンクを為すデジタル移動無線システムにおいて、前記少なくとも１つの指令局と少なくとも１つの基地局には交換制御を行う回線制御装置が接続され、該回線制御装置は、予め任意に設定された送信要求に対する許容数以下の送信要求をｍ台とする送信要求許容手段と、送信要求のあったｍ台以内の通話パスによる音声入力を全加算して出力する会議トランクとを備え、任意の指令局と複数の移動局、若しくは複数の移動局が音声通信によるグループ通信をｎ台にて行う場合、送信側ｍ台の音声を加算した加算音声を受信側ｎ台が受信することによりグループ通信を確立することを特徴とする。
【００１０】
また、上記従来の問題点を解決するため、請求項２記載の発明は、少なくとも１つの指令局と複数の移動局とが少なくとも１つの基地局を介して通信リンクを為すデジタル移動無線システムにおいて、前記少なくとも１つの指令局と少なくとも１つの基地局には交換制御を行う回線制御装置が接続され、該回線制御装置は、予め任意に設定された送信要求に対する許容数以下の送信要求をｍ台とする送信要求許容手段と、送信要求のあったｍ台以内の通話パスによる音声入力を全加算する音声加算手段と、前記少なくとも１つの指令局から送信要求のあった場合には当該指令局の音声入力を前記全加算した音声入力より減じて当該指令局に出力し、他の局には前記全加算した音声入力を出力する会議トランクとを備え、少なくとも１つの指令局と任意の移動局が音声通信によるグループ通信をｎ台にて行う場合、送信側ｍ台の音声を加算した加算音声を受信側ｎ台が受信することによりグループ通信を確立することを特徴とする。
【発明の効果】
【００１１】
本発明により、任意の指令局と複数の移動局間とのグループ通信リンクを確立する場合に会議トランクとは別の音声ミックス部を回線制御装置に必要としないデジタル移動無線システムを提供することができる。
また本発明により、プレストーク信号を使わない指令局にも対応可能なグループ通信回線接続により、グループ通信リンクを確立するデジタル移動無線システムを提供することができる。
【発明を実施するための最良の形態】
【００１２】
本発明の実施の形態について図面を参照しながら説明する。
図１は、本発明の実施の形態であるデジタル移動無線システムを示す。
この図１は、本発明による移動無線システムにおけるグループ通信回線接続方式の実施の形態を示すものであり、任意の指令局と複数の移動局がグループ通信を行う場合に、送話する側の局の台数をｍ台、受話する側の局をｎ台として、ｍ対ｎのグループ通信を行う場合を示す。
図１では、複数の指令局４０１、４０２と、複数の基地局２０１~２０２、２０ｍ’、２０ｎ’と、複数の移動局１０１〜１０３、１０ｍ’、１０Ｌと、回線制御装置３１０とより構成され、回線制御装置３１０内には、基地局インタフェース３７１〜３７２、３７ｍ’、３７ｎ’と、通話路の時分割スイッチ３２０と、会議トランク３８１と、指令局インタフェース３５１、３５２とより構成される。
【００１３】
図１による本発明の実施の形態においては、例えば、会議トランク３８１の１番出力を当該グループ通信を構成する基地局の下り通話パスに接続し、移動局１０１からプレストークスイッチの押下等により、送信権要求信号を上げ、回線制御装置３１０が先取り優先制御にて音声送信を許容した各基地局からの上り通話パスを会議トランク３８１の４番~ｍ番の入力に接続することにより、グループ通信を構成する全基地局のうち、音声信号を許容した基地局及び指令局からの音声入力信号を加算した信号、すなわち、会議トランク３８１の２番、３番、４番~ｍ番入力を全加算した１番出力の信号を各基地局に中継していることとなる。
そして、各移動局には基地局２０１の下り信号に含まれる移動局１０１の音声信号が受信される。
【００１４】
一方、例えば指令局４０１が送信（送話）する場合には、送信した音声信号を当該指令局４０１には戻さないようにしている。
これは、通信リンク接続時の通話パスを、指令局から会議トランクを介して他の局への通話パス（下り通話パス）には当該グループ通信を構成する各局からの音声入力を加算した音声信号を中継し、且つ、各局から当該指令局への通話パス（上り通話パス）には前記全加算音声入力から当該指令局が送信した音声入力信号を減じた音声信号を中継するものであり、これにより、プレストークスイッチ等を必要としない指令局であっても、自局の音声が自局のスピーカ（図示せず）から出力されることがなく、音声が聞き取りやすい。
なお、移動局からの音声送信はプレストークスイッチ押下等が必要であるため、送信時には元々受話されることはない。
【００１５】
ここで、前述した先取り優先制御においては、複数の移動局からのプレストークスイッチの押下等による送信権要求信号があった場合に、先に入力された信号を優先して処理するものであるが、会議トランクにて順々に処理することで複数の入力を加算して全移動局及び指令局に送話が送信されることとなる。
【００１６】
上述したように、各基地局からの送信権要求信号は、各基地局と回線制御装置間の制御チャネル（図示せず）を介して回線制御装置３１０が受信して、先取り優先制御にて送信側合計ｍ台と受信側ｎ台での移動局及び指令局を選択接続する交換接続制御を行うこととなる。
【００１７】
なお、グループ通信に参加する移動局と指令局の合計数ｎが大きな数になる場合でも、通常、他局が送話を行っている場合には、自局は聞く側に移行することことが多く、そのため、このｍ台としては、２台から５台程度を許容数として同時音声送信許容数を設定することにより、ｍ対ｎ通信を行うグループ通信回線接続をより経済的に行うことができる。
これは例えば、グループ通信を行う局（移動局と指令局）の合計数がｎ台、送信（送話）する局がｍ台とした場合、一般的には送話者の数は１か２（ｍ＝１または２）であるが、送話開始時や、一旦、送話が途切れた後などには送話者が複数になる場合もあるが、他者が送話することが理解できると送話を止めて受話することが多いために、ｍ台の許容数をそれ程大きく設定する必要がなく、２〜５程度が適度な許容数ということになる。
また、指令局からの送信権要求信号に従って、当該指令局から出力音声パスを時分割スイッチで接続または解放することも、当該グループ通信中においては、他の指令局からの送信権要求信号の有無に関係無く、当該指令局から出力音声パスを接続したままとすることも可能である。
また、通話パスの切り換えをしないので、回線制御装置は指令局からのプレストーク信号の受信も不要となる。
【００１８】
図５は、本発明の実施の形態であるデジタル移動無線システムに用いられる会議トランクを示し、図５（ａ）は入出力ポートのイメージ図、図５（ｂ）は入出力信号の端子とその入出力先のテーブル図を示す。
例えば、出力端子Ｏ１を下り信号として接続し、上り信号を入力端子Ｉ３、Ｉ４、・・・、Ｉｎに接続することにより、入力端子Ｉ２、Ｉ３、・・・、Ｉｎの入力信号を加算した信号、すなわち、全加算した信号が出力端子Ｏ１から出力される。
【００１９】
次に本発明の実施の形態であるデジタル無線システムの動作を図２及び図３を用いて説明する。
図２は、本発明の実施の形態であるデジタル無線システムの動作を説明する第１実施例を示す。
この図２は、デジタル移動無線システムのグループ通信時の通信リンク接続動作を示し、移動局１０１〜１０３、１０ｍ’、１０Ｌ、基地局２０１〜２０２、２０ｍ’、２０ｎ’、回線制御装置３１０、指令局４０１、４０２は、前述した図１と同様である。
この第１実施例において、移動局１０１、１０２は点線で示しているように基地局２０１に位置登録しており、基地局２０１の基地局ゾーンに在圏している。
同様に、移動局１０３は基地局２０２の基地局ゾーン、移動局１０ｍ’、１０Ｌは基地局２０ｍ’の基地局ゾーンに在圏している。
【００２０】
例えばこの図２に示す全部の移動局と指令局とがグループ通信を行う場合、例えば、指令局が送信権を獲得すると、会議トランク３１０へ音声信号を送信（すなわち、送話）できる。
会議トランク３１０では、当該指令局を含んだ各局により送信権を獲得した全部の局からの音声信号を全加算し、送信権を獲得している指令局には当該指令局からの音声信号を前記全加算した音声信号から除いた音声信号を送信し、また、他の各局には前記全加算した音声信号を送信する。
これによりグループ通信している全局のうち、指令局には当該指令局からの音声信号以外の全音声加算された音声信号が送信され、かつ、その他の各局には全音声信号が加算された音声信号が送信される。
なお、指令局の送信権の獲得は、指令局の送話キー等の操作によって他の移動局よりも優先して（割り込み制御など）送話可能な状態とすることができる。
【００２１】
図３は、本発明の実施の形態であるデジタル無線システムの動作を説明する第２実施例を示す。
この図３は、移動局からグループ通信で移動局及び指令局を呼ぶ場合の通信リンクを簡易的に説明する図である。
この第２実施例において、移動局１０１〜１０３、指令局４０１は同じグループに所属している。
また、移動局１０ｍ’、１０Ｌ、指令局４０２は同じグループに所属している。
【００２２】
ここで、移動局１０１が発呼者であり、当該移動局１０１がグループ通信を発呼すると、呼接続要求は基地局２０１から回線制御装置３１０に為され、回線制御装置３１０から基地局２０２、２０ｍ’にグループ通信呼設定要求が出される。
また指令局４０２に対してもグループ通信着信接続を行う。
これによって、移動局１０２、１０３が当該グループ通信に１点鎖線で示されるように引き込まれる。
同様に、他のグループである移動局１０ｍ’、１０Ｌ、基地局２０ｍ’、回線制御装置３１０、指令局４０２のグループ通信リンクが１点鎖線で示されるように接続される。
【００２３】
このように、グループ通信を行う場合、例えば、幾つかの移動局がプレストークスイッチにより送信権要求信号を送信すると、各々の上位である基地局を介して会議トランク３１０にて先取り優先制御により各移動局は送信権を獲得して音声信号を送信（すなわち、送話）できる。
会議トランク３１０では全音声入力加算を行い、全部の基地局及び指令局にこの全音声加算した音声信号を送信する。
なおその際、音声送信している移動局自身は、プレストークスイッチを押下しており、送信状態のため（すなわち、受信不可状態のため）受信されない。
このような動作によって、前述した図１によるグループ通信が確立される。
【００２４】
上述した図２の第１実施例及び図３の第２実施例では、回線制御装置内には音声ミックス部を必要とせずに会議トランクを設け、会議トランクの入出力端子と複数の基地局、指令局間を時分割通話路スイッチで接続することにより、移動局または指令局の送信権の移動に左右されずに、送信権を有する端末からの音声信号を、他の受信端末（移動局や指令局）に中継することができる。
【００２５】
以上、詳細に説明したように本発明の実施の形態によると、複数の移動局無線装置、複数の通信指令台、複数の基地局無線装置、通信リンクの交換制御を行う回線制御装置から構成されるデジタル移動無線システムにおいて、音声で通信指令台と複数の移動局無線装置間あるいは複数移動局無線装置相互が、ｍ対ｎで通信を行なうグループ通信リンク接続時の通話パスを、複数の基地局無線装置及び通信指令台相互を回線制御装置内に設けた会議トランクを使用し、全ての基地局無線装置に対する下り通話パスには、当該グループ通信を構成するすべての装置ｎ台のうち、音声送信を許容するｍ台の加算音声から自通信指令台の音声信号を減じた音声信号を中継することと、また、音声送信を許容する装置ｍ台の選択は、基地局無線装置及び通信指令台から音声送信権要求信号を先取り優先制御により選択制御を行うことによりｍ対ｎのグループ通信回線接続を提供する方式である。
さらに、音声送信を許容する装置ｍ台の選択については、一部の通信指令台を当該グループ通信として行う場合、音声送信権要求信号の有無に関係なく音声送信を許容することによりｍ対ｎのグループ通信回線接続を提供する方式である。
【００２６】
本発明によると、グループ通信を構成する基地局無線装置、通信指令台のグループ通信に参加する合計数が大きい場合でも、実際に同時に音声送信を行う側の基地局無線装置と通信指令台の合計数は大きな数にならないことに着目し、回線制御装置内に会議トランクを設け、会議トランクの入力端子と基地局無線装置及び通信指令台からの送信権要求信号を先取り優先選択制御によって選択した基地局無線装置、通信指令台間を時分割通話路スイッチで接続することにより、会議トランクの入力端子数に相当する数の基地局無線装置及び通信指令台に音声送信を許容するデジタル移動無線システムを提供するものである。
【００２７】
すなわち、デジタル移動無線システムにおいて、通信情報の共有化のためのグループ通信を確立するにあたって、グループ通信を構成する全基地局及び指令局の同時送信を許容すると、音声加算装置が大規模になり、システムが複雑、高価となってしまうという問題を解決するため、同時送信許容装置数をｍ台とし、当該装置のｍ台を送信権要求信号の先取り優先で選択して、回線制御装置の時分割スイッチを介して、音声加算装置を含む会議トランクに接続することにより、ｍ対ｎ通信を行うグループ通信回線接続を可能とするものである。
【図面の簡単な説明】
【００２８】
【図１】本発明の実施の形態であるデジタル移動無線システムを示す。
【図２】本発明の実施の形態であるデジタル無線システムの動作を説明する第１実施例を示す。
【図３】本発明の実施の形態であるデジタル無線システムの動作を説明する第２実施例を示す。
【図４】従来のデジタル移動無線システムの一例を示す。
【図５】本発明の実施の形態であるデジタル移動無線システムに用いられる会議トランクを示し、（ａ）は入出力ポートのイメージ図、（ｂ）は入出力信号の端子とその入出力先のテーブル図を示す。
【符号の説明】
【００２９】
１０１、１０２、１０３、１０４、１０５、１０ｍ’、１０Ｌ：移動局、
２０１、２０２、２０３、２０ｍ’、２０ｎ’：基地局、
３００、３１０：回線制御装置、
３１１、３１２、３１３：基地局インタフェース、
３２０：時分割スイッチ、
３３１、３３２：音声符号変換部、
３４１：音声ミックス装置、
３５１、３５２：指令局インタフェース、
３６１：音声出力インタフェース、
３７１、３７２、３７３：基地局インタフェース、
３８１、３８２：会議トランク、
４０１、４０２：指令局。
【図１】
2006033430.tif 000003
【図２】
2006033430.tif 000004
【図３】
2006033430.tif 000005
【図４】
2006033430.tif 000006
【図５】
2006033430.tif 000007